(57)【要約】  グループ通信に参加する各端末が他の端末の状態を把握できる１対多の通信方法、通信システム及びこれに用いられる通信端末に関し、各通信端末において自通信端末の状態に関する情報（例えば基地局からの電波の受信感度など）が取得され、通信管理装置を介して他の通信端末へ送信される。そして、各通信端末に設けられた表示部に、他の通信端末の状態に関する情報が表示される。これにより、各々の通信端末が他の通信端末の状態に関する情報を正しく把握できるため、他の通信端末が正常に会話できる状態にあるか否かが判断可能になり、１対多の通信においてユーザ間の認識に違いが発生することを防止できる。【特許請求の範囲】
【請求項１】
無線通信を行う３以上の通信端末のうちの１つが他の複数の通信端末へデータを送信する通信方法であって、
前記３以上の通信端末の各々が、自通信端末の状態に関する第１の情報を取得する第１のステップと、
前記３以上の通信端末の各々が、前記取得した第１の情報を管理装置に送信する第２のステップと、
前記管理装置が、前記通信端末から第１の情報を受信すると、当該受信した第１の情報を前記３以上の通信端末の各々、若しくは、当該第１の情報の送信元を除く他の通信端末の各々に送信する第３のステップと、
前記３以上の通信端末の各々が、前記管理装置から受信した第１の情報を、各々に設けられた表示部に表示する第４のステップと
を有することを特徴とする通信方法。
【請求項２】
無線通信を行う３以上の通信端末と管理装置とを具備し、前記３以上の通信端末のうちの１つが他の複数の通信端末へデータを送信する通信システムであって、
前記管理装置は、
前記通信端末と通信する第１の通信部と、
前記３以上の通信端末の各々から送信される各通信端末の状態に関する第１の情報を前記第１の通信部に受信するよう制御する第１の受信制御部と、
前記第１の情報を受信すると、当該受信した第１の情報を前記第１の通信部から前記３以上の通信端末の各々、若しくは当該第１の情報の送信元を除く他の通信端末の各々に送信する第１の送信制御部と
を有し、
前記通信端末は、
前記管理装置と通信する第２の通信部と、
情報を表示する表示部と、
自通信端末の状態に関する前記第１の情報を取得する情報取得部と、
前記取得した第１の情報を前記管理装置へ送信するよう前記第２の通信部を制御する第２の送信制御部と、
前記管理装置から送信される前記第１の情報を受信するよう前記第２の通信部を制御する前記第２の受信制御部と、
前記受信した第１の情報を前記表示部に表示する表示制御部と
を有する
ことを特徴とする通信システム。
【請求項３】
無線通信を行う３以上の通信端末のうちの１つが他の複数の通信端末へデータを送信する通信システムで用いられる通信端末であって、
前記通信システムと通信する通信部と、
情報を表示する表示部と、
自通信端末の状態に関する第１の情報を取得する情報取得部と、
前記取得した第１の情報を送信するよう前記通信部を制御する送信制御部と、
前記通信システム内の他の通信端末において取得された前記第１の情報を受信するよう前記通信部を制御する受信制御部と、
前記受信された第１の情報を前記表示部に表示する表示制御部と
を有することを特徴とする通信端末。
【請求項４】
前記情報取得部は、前記通信部による電波状態に関する情報を前記第１の情報として取得する
請求項３に記載の通信端末。
【請求項５】
前記送信制御部は、前記情報取得部において取得される第１の情報が変化すると、当該変化した第１の情報を前記通信部に送信させるよう制御する、
請求項３に記載の通信端末。
【請求項６】
前記受信制御部は、前記第１の情報の送信要求を前記通信部に受信させ、
前記送信制御部は、前記送信要求が受信された場合に、前記第１の情報を前記通信部から送信する、
請求項３に記載の通信端末。
【請求項７】
前記受信制御部は、前記送信要求に応答しない通信端末の情報を含んだ前記第１の情報を前記通信部において受信し、
前記表示制御部は、前記受信した第１の情報に基づいて、前記送信要求に応答しない通信端末の情報を前記表示部に表示する、
請求項６に記載の通信端末。
【請求項８】
前記表示制御部は、前記第１の情報に基づいた前記通信システム内の全通信端末ごとに電波受信状態を表すマークが付されているリストを、前記表示部に表示する
ことを特徴とする請求項４に記載の通信端末。
【請求項９】
前記表示制御部は、各通信端末の電波受信状態に応じて、前記マークの色、大きさ及び形状の少なくとも１つを変える、
請求項８に記載の通信端末。
【請求項１０】
前記表示制御部は、前記第１の情報に基づいた前記通信システム内の各通信端末の電波受信状態を識別可能なマークによって表されているリストを、前記表示部に表示する
ことを特徴とする請求項４に記載の通信端末。
【請求項１１】
前記表示制御部は、各通信端末の電波受信状態に応じて、前記マークの色、大きさ及び形状の少なくとも１つを変える、
請求項１０に記載の通信端末。
【請求項１２】
前記情報取得部は、自通信端末の電池状態に関する情報を前記第１の情報として取得する
請求項３に記載の通信端末。
【発明の詳細な説明】
【技術分野】
【０００１】
本発明は、携帯電話機等の通信端末による１対多の通信方法とその通信システム、並びに１対多の通信を行う通信端末に関するものである。
【背景技術】
【０００２】
近年、電話機の通信態様が多様化しており、回線交換による従来の音声通話に加えて、ＩＰ（internet protocol）網を利用したパケット通信を行うことが可能な電話機が広く利用されている。例えば、携帯電話機同士でリアルタイムに電子メールをやり取りすることにより会話を行う「チャットメール」がある（特許文献１参照）。チャットメールは、予め登録されたメンバによってグループを形成し、このグループ内でリアルタイムに文字などのデータをやり取りする「グループ通信」と呼ばれる通信態様の１つである。【０００３】
グループ通信においては、一般に、グループ内の１の端末が送信者、他の端末が受信者となって、１対多の通信が行われる。複数の端末が通信に参加する場合、現在どのようなメンバが通信に参加しているかを端末側で把握できれば便利であるため、例えば特許文献２に記載されるシステムでは、グループ通信を管理するサーバ装置から各端末へ参加中のメンバのリストが提供され、これが各端末の表示部に表示される。【０００４】
このようなグループ通信において、ＶｏＩＰ（voice over internet protocol）を利用した音声通話を行う試みがあり、その一つにＰｏＣ（push to talk over cellular）と呼ばれるものがある。ＰｏＣでは、ＳＩＰ（session initiation protocol）サーバによって各グループとグループ内の各メンバを管理し、パケット化した音声の呼制御を行う（特許文献３参照）。【０００５】
ＰｏＣにおいてグループ通信を終了する端末は、例えば特許文献３に記載されるように、通信を管理するサーバ装置へ通信終了の要求を送信する。サーバ装置は、この終了要求を受信すると、端末のグループ通信を終了させる所定の手続きを行い、手続きの完了により通信が終了したことを要求元の端末へ通知する。
【特許文献１】特開２００５−１８４２３号公報
【特許文献２】特開２００５−１３６５２４号公報
【特許文献３】特表２００５−５１８１６６号公報
【発明の開示】
【発明が解決しようとする課題】
【０００６】
１の端末がグループ通信を終了する場合、例えば上述のように、端末がサーバ装置へ終了要求を送信することにより、サーバ装置は端末の通信終了を把握できる。そのため、終了要求を受けたサーバ装置が通信に参加中の他の端末へその旨を通知することにより、他の端末も参加者が抜けたことを正しく把握できる。【０００７】
しかしながら、無線通信を行う携帯電話機の場合、基地局からの電波が携帯電話機に届き難くなると、通信が途絶えてしまう可能性がある。グループ通信において受信中の端末が通信不能になると、他の端末のユーザはそのことを知らないまま会話を進めてしまうため、ユーザの間に認識の違いが発生し、円滑なコミュニケーションが阻害される。【０００８】
すなわち、通常のグループ通信では、１の端末から複数の端末へ１方向に情報が送信されるため、各端末は他の受信中の端末がどのような状態にあるかをリアルタイムに把握できないという不都合がある。
本発明はかかる事情に鑑みてなされたものであり、その目的は、通信に参加する各端末において他の端末の状態を把握できる１対多の通信方法及び通信システムと、そのような通信システムにおいて用いられる通信端末を提供することにある。
【課題を解決するための手段】
【０００９】
本発明の第１の観点は、無線通信を行う３以上の通信端末のうちの１つが他の複数の通信端末へデータを送信する通信方法に関する。上記第１の観点に係る通信方法は、前記３以上の通信端末の各々が、自通信端末の状態に関する第１の情報を取得する第１のステップと、前記３以上の通信端末の各々が、前記取得した第１の情報を管理装置に送信する第２のステップと、前記管理装置が、前記通信端末から第１の情報を受信すると、当該受信した第１の情報を前記３以上の通信端末の各々、若しくは、当該第１の情報の送信元を除く他の通信端末の各々に送信する第３のステップと、前記３以上の通信端末の各々が、前記管理装置から受信した第１の情報を、各々に設けられた表示部に表示する第４のステップとを有する。【００１０】
本発明の第２の観点は、無線通信を行う３以上の通信端末と管理装置とを具備し、前記３以上の通信端末のうちの１つが他の複数の通信端末へデータを送信する通信システムに関する。上記第２の観点に係る通信システムにおいて、前記管理装置は、前記通信端末と通信する第１の通信部と、前記３以上の通信端末の各々から送信される各通信端末の状態に関する第１の情報を前記第１の通信部に受信するよう制御する第１の受信制御部と、前記第１の情報を受信すると、当該受信した第１の情報を前記第１の通信部から前記３以上の通信端末の各々、若しくは当該第１の情報の送信元を除く他の通信端末の各々に送信する第１の送信制御部とを有し、前記通信端末は、前記管理装置と通信する第２の通信部と、情報を表示する表示部と、自通信端末の状態に関する前記第１の情報を取得する情報取得部と、前記取得した第１の情報を前記管理装置へ送信するよう前記第２の通信部を制御する第２の送信制御部と、前記管理装置から送信される前記第１の情報を受信するよう前記第２の通信部を制御する前記第２の受信制御部と、前記受信した第１の情報を前記表示部に表示する表示制御部とを有する。【００１１】
本発明の第３の観点は、無線通信を行う３以上の通信端末のうちの１つが他の複数の通信端末へデータを送信する通信システムで用いられる通信端末に関する。上記第３の観点に係る通信端末は、前記通信システムと通信する通信部と、情報を表示する表示部と、自通信端末の状態に関する第１の情報を取得する情報取得部と、前記取得した第１の情報を送信するよう前記通信部を制御する送信制御部と、前記通信システム内の他の通信端末において取得された前記第１の情報を受信するよう前記通信部を制御する受信制御部と、前記受信された第１の情報を前記表示部に表示する表示制御部とを有する。【００１２】
前記送信制御部は、前記情報取得部において取得される第１の情報が変化すると、当該変化した第１の情報を前記通信部に送信させるよう制御しても良い。【００１３】
前記受信制御部は、前記第１の情報の送信要求を前記通信部において受信しても良い。この場合、前記送信制御部は、前記送信要求が受信された場合に、前記第１の情報を前記通信部から送信しても良い。【００１４】
前記受信制御部は、前記送信要求に応答しない通信端末の情報を含んだ前記第１の情報を前記通信部において受信しても良い。この場合、前記表示制御部は、前記受信した第１の情報に基づいて、前記送信要求に応答しない通信端末の情報を前記表示部に表示しても良い。【００１５】
前記表示制御部は、前記通信システム内の全通信端末のリストであって、各通信端末の項目に電波受信状態を表すマークが付されている、若しくは、各通信端末の項目が電波受信状態を識別可能なマークによって表されているリストを、前記第１の情報に基づいて生成し、前記表示部に表示しても良い。
例えば、前記表示制御部は、各通信端末の電波受信状態に応じて、前記マークの色、大きさ及び形状の少なくとも１つを変えても良い。
【発明の効果】
【００１６】
本発明によれば、通信に参加する各端末において他の端末の状態（例えば電波受信状態）を把握できるため、ユーザの間に認識の違いが発生することを防止し、円滑なコミュニケーションを実現できる。
【図面の簡単な説明】
【００１７】
【図１】図１は、本発明の実施形態に係る通信システムの構成の一例を示す図である。
【図２】図２は、本発明の実施形態に係る通信端末の構成の一例を示す図である。
【図３】図３は、通信管理装置の構成の一例を示す図である。
【図４】図４は、通信管理装置のデータベースに登録される情報の一例を示す図である。
【図５】図５は、通信端末における処理の第１の例を示す図である。
【図６】図６は、通信管理装置における電波感度データの更新処理の第１の例を示す図である。
【図７】図７は、通信システムの全体動作の第１の例を示す図である。
【図８】図８は、通信端末における処理の第２の例を示す図である。
【図９】図９は、通信管理装置における電波感度データの更新処理の第２の例を示す図である。
【図１０】図１０は、通信システムの全体動作の第２の例を示す図である。
【図１１】図１１は、通信端末の表示部に表示される画面の一例を示す図である。
【図１２】図１２は、電波受信感度を表すマークの例を示す図である。
【符号の説明】
【００１８】
１…アンテナ、２，８…通信部、３…キー入力部、４…音声処理部、５…表示部、６，１１…記憶部、１１１…データベース、７，１０…制御部、７１，１０３…送信制御部、７２，１０２…受信制御部、７３…表示制御部、７４…電波受信感度取得部、１０１…データベース制御部、９…ユーザインターフェース部、１００−１〜１００−４…通信端末、２００…通信管理装置、３００…通信網、３００−１〜３００−３…基地局。
【発明を実施するための最良の形態】
【００１９】
これより図面を参照して本発明の好適実施例について説明する。【００２０】
図１は、本発明の実施形態に係る通信システムの構成の一例を示す図である。
本実施形態に係る通信システムは、例えば図１に示すように、３以上の通信端末（１００−１，１００−２，１００−３，…）と、通信管理装置２００とを有する。【００２１】
通信端末１００−ｉ（ｉは正の自然数を示す）は、例えば携帯電話機等の無線通信端末であり、基地局（３００−１，３００−２，３００−３，…）を介して通信網３００に接続される。また、通信端末１００−ｉは、通信網３００に接続される通信管理装置２００の制御に従ってデータ通信を行う。本実施形態では、一例として、ＰｏＣ（push to talk over cellular）によるグループ通信を行うものとする。【００２２】
このデータ通信において伝送されるデータには、例えば通話の音声や、画像、文字などのデータが含まれる。【００２３】
本通信システムでは、３以上の通信端末（１００−１，１００−２，１００−３，…）のうち、通信管理装置２００によって発言を許可された１の通信端末が他の複数の通信端末へ音声データを送信可能である。発言を希望する通信端末は、例えば通信管理装置２００に対して発言を許可するように要求コマンドを送信する。【００２４】
通信端末１００−ｉは、基地局から送信される電波の受信状態に関する情報（第１の情報）を取得する。例えば、基地局から送信される電波の受信感度を一定時間毎に測定し、その測定結果を電波受信状態の情報として取得する。通信端末１００−ｉは、取得した電波受信状態の情報を通信管理装置２００に送信する。【００２５】
例えば、通信端末１００−ｉは、取得した電波受信状態の情報に基づいて、電波受信状態が変化したか否か判定し、変化したと判定した場合、変化後に取得した電波受信状態の情報を通信管理装置２００へ送信する。
例えば、通信端末１００−ｉは、前回取得した情報と今回取得した情報を比較し、両者が異なっている場合に、電波受信状態が変化したと判定する。あるいは、取得した情報が表す電波受信状態の度合いを所定のしきい値と比較し、この度合いがしきい値より悪化するか、若しくは、しきい値より改善する場合に、電波受信状態が変化したと判定しても良い。【００２６】
また、通信端末１００−ｉは、通信管理装置２００の情報送信要求に応じて、電波受信状態の情報を通信管理装置２００に送信しても良い。すなわち、通信管理装置２００から所定の情報送信要求を受信した場合に、取得した電波受信状態の情報を通信管理装置２００へ送信しても良い。【００２７】
更に、通信端末１００−ｉは、通信管理装置２００から提供される各種の情報を表示可能な表示部を有している。例えば、現在通信に参加している端末の一覧や、各端末において取得された電波受信状態の情報などを表示部に表示する。【００２８】
通信管理装置２００は、３以上の通信端末（１００−１，１００−２，１００−３，…）によるＰｏＣのグループ通信を管理する装置である。
通信管理装置２００は、１の通信端末からＰｏＣによるグループ通信の開始要求を受けると、その要求に応じて相手方の通信端末を呼出し、通信セッションを確立する。【００２９】
通信セッションの確立後、通信管理装置２００は、各通信端末から送信される上述の電波受信状態の情報を受信する。通信管理装置２００は、グループ通信に参加する通信端末の情報を管理するためのデータベースを保持しており、各通信端末から送られてくる電波受信状態の情報を受信すると、これを端末の状態を表す情報の１つとしてデータベースに登録する。【００３０】
通信管理装置２００は、先に述べたように各通信端末から自発的に送信される電波受信状態の情報をデータベースに登録しても良いし、あるいは、各通信端末に対して情報の送信を要求した結果として送られてくる電波受信状態の情報をデータベースに登録しても良い。後者の場合、通信管理装置２００は、例えば一定期間毎に各通信端末に対して情報送信を要求する。【００３１】
通信管理装置２００は、データベースに登録される電波受信状態の情報が更新された場合、その更新された情報を通信端末に送信する。このとき、通信管理装置２００は、全通信端末に対して情報を一斉に送信しても良いし、あるいは、更新された情報の提供元の通信端末を除く一部の通信端末にのみ情報を送信しても良い。【００３２】
図２は、本発明の実施形態に係る通信端末（１００−１，１００−２，…）の構成の一例を示す図である。
通信端末は、例えば図２に示すように、アンテナ１と、通信部２と、キー入力部３と、音声処理部４と、表示部５と、記憶部６と、制御部７とを有する。【００３３】
通信部２は、通信網３００の基地局（３００−１，３００−２）との間の無線通信に関する処理を行う。例えば、制御部７から供給される送信データに所定の変調処理を施して無線信号に変換し、アンテナ１から送出する。また、アンテナ１において受信される基地局からの無線信号に所定の復調処理を施して受信データに変換し、制御部７に出力する。
通信端末は、この通信部２を介して、通信網３００に接続される通信管理装置２００や他の通信端末と通信を行う。【００３４】
キー入力部３は、通信端末にユーザの指示を入力するための装置である。例えば数字キー、文字キー、矢印キー、決定キーなど、各種の機能を持ったキーを有しており、これらのキーがユーザによって操作された場合に、その操作内容を電気信号に変換して制御部７に出力する。【００３５】
音声処理部４は、スピーカやマイクロフォンにおいて入出力される音声信号を処理する。すなわち、マイクロフォンから入力される音声信号に増幅、アナログ−デジタル変換、符号化等の信号処理を施し、デジタルの音声データに変換して制御部７に出力する。また、制御部７から供給される音声データに復号化、デジタル−アナログ変換、増幅等の信号処理を施し、アナログの音声信号に変換してスピーカに出力する。【００３６】
表示部５は、例えば液晶表示パネルや有機ＥＬパネルなどの表示デバイスを用いて構成されており、制御部７から供給される画像データに応じた画像を表示する。例えば、発信時における発信先の電話番号や、着信時における着信相手の電話番号、受信メールや送信メールの内容、待ち受け画面、日付、時刻、バッテリ残量等を表示する。【００３７】
また、表示部５は、ＰｏＣによるグループ通信を行っている場合、通信管理装置２００から送られてくる各種の情報を表示する。例えば、グループ通信に参加している通信端末の一覧や、各通信端末の電波受信状態の情報などを表示する。【００３８】
記憶部６は、制御部７の処理で利用される各種のデータや、制御部７の処理結果のデータを記憶する。例えば、制御部７のコンピュータ・プログラムや、その処理に用いる定数データ、処理過程で一時的に保持する必要がある変数データなどを記憶する。【００３９】
制御部７は、通信端末の全体的な動作に関わる種々の処理を行う。
例えばグループ通信に関する処理として、ＰｏＣにおける所定のプロトコルに従った音声通話やデータ通信が適切に行われるように、音声処理部４における音声の入出力、キー入力部３からの文字データの入力、表示部５における情報の表示、通信部２におけるデータの送受信を制御する。【００４０】
制御部７は、例えば、記憶部６に格納されるプログラム（オペレーティングシステム、アプリケーション等）に基づいて処理を実行するコンピュータを有しており、プログラムに従って上述した処理を実行する。【００４１】
制御部７は、ＰｏＣのグループ通信に関連する処理ブロックとして、送信制御部７１と、受信制御部７２と、表示制御部７３と、電波受信感度取得部７４とを有する。【００４２】
電波受信感度取得部７４は、電波受信状態に関する情報として、基地局から送信される電波の受信感度のデータを取得する。例えば、通信部２において受信される信号の強度や、干渉波に対する信号波の比などに基づいて電波の受信感度を数値化する。【００４３】
送信制御部７１は、ＰｏＣのグループ通信の際に、通信部２からデータを送信する処理を行う。例えば、ＰｏＣのグループ通信を行っているときにキー入力部３の所定の送信キーが押されると、通信部２から通信管理装置２００に対して発言要求を送信する。この要求が通信管理装置２００において許可されると、音声処理部４で入力される音声データを通信部２から他の通信端末へ送信する。【００４４】
また、送信制御部７１は、電波受信感度取得部７４において取得される受信感度のデータを、通信部２から通信管理装置２００へ送信する。
例えば、送信制御部７１は、電波受信感度取得部７４において取得される受信感度のデータに基づいて、電波受信状態が変化したか否か判定し、変化したと判定した場合、その変化後に取得された受信感度のデータを通信部２から通信管理装置２００へ送信する。この場合、送信制御部７１は、前回取得した受信感度データと今回取得した受信感度データとを比較し、両者が異なっている場合に、電波受信状態が変化したと判定しても良い。あるいは、取得した受信感度データと所定のしきい値と比較し、受信感度データがしきい値より悪化する場合やしきい値より改善する場合に、電波受信状態が変化したと判定しても良い。【００４５】
また、送信制御部７１は、通信管理装置２００から送られてくる受信感度の送信要求が通信部２において受信された場合に、電波受信感度所得部７４で取得した受信感度のデータを通信部２から通信管理装置２００へ送信しても良い。【００４６】
受信制御部７２は、ＰｏＣのグループ通信の際に、通信部２においてデータを受信する処理を行う。例えば、グループ通信に参加している通信端末の一覧、他の通信端末の受信感度データなど、通信管理装置２００によって提供される各種の情報を受信する。また、受信感度の送信要求など、通信管理装置２００からの要求や通知なども受信する。【００４７】
表示制御部７３は、表示部５における情報の表示に係わる制御を行う。例えば、ＰｏＣによるグループ通信時に通信管理装置２００から受信した各種の情報や通知を表示部５において表示する。【００４８】
次に、通信管理装置２００の構成について説明する。
図３は、通信管理装置２００の構成の一例を示す図である。
通信管理装置２００は、例えば図３に示すように、通信部８と、ユーザインターフェース部９と、制御部１０と、記憶部１１とを有する。【００４９】
通信部８は、通信網３００を介した通信に関する処理を行う。例えば、ＰｏＣによるグループ通信を行う場合、通信管理装置２００はＩＰ網に接続される。通信部８は、このＩＰ網を介したデータの送受信に関わる処理を行う。【００５０】
ユーザインターフェース部９は、例えばキーボードやマウス、ディスプレイ装置など、通信管理装置２００を操作するための情報を入出力する。【００５１】
記憶部１１は、制御部１０の処理で利用される各種のデータや、制御部１０の処理結果のデータを記憶する。例えば、制御部１０のコンピュータ・プログラム、その処理に用いる定数データ、処理過程で一時的に保持する必要がある変数データなどを記憶する。【００５２】
また、記憶部１１は、グループ通信に参加する通信端末の各種の情報を管理するためのデータベース１１１を保持する。
図４は、データベース１１１に登録される情報の一例を示す図である。データベース１１１には、例えば図４に示すように、端末を保有するメンバの名前や、グループ通信に現在参加しているか否か（すなわちログインしているか否か）を示す情報、各通信端末で取得された受信感度のデータ、端末に割り当てられた電話番号、表示部５においてメンバのキャラクタを表示するために用いられる画像データなど、通信端末に関する様々な情報が含まれる。【００５３】
制御部１０は、通信管理装置２００の全体的な動作に関わる種々の処理を行う。例えば、１つの通信端末からグループ通信の開始を要求された場合に相手方の通信端末を呼び出して通信セッションを確立する処理や、各通信端末の発言要求を調整して１の通信端末に発言を許可する処理、各通信端末で取得された受信感度のデータを受信してデータベース１１１に登録する処理、データベース１１１に登録される情報をグループ通信に参加中の各通信端末に提供する処理などを行う。【００５４】
制御部１０は、例えば、記憶部１１に格納されるプログラム（オペレーティングシステム、アプリケーション等）に基づいて処理を実行するコンピュータを有しており、プログラムに従って処理を実行する。【００５５】
制御部１０は、ＰｏＣのグループ通信に関連する処理ブロックとして、データベース制御部１０１と、受信制御部１０２と、送信制御部１０３と有する。【００５６】
データベース制御部１０１は、記憶部１１に保持されるデータベース１１１の更新に係わる処理を行う。例えば、通信端末から送られてくる受信感度のデータが通信部２において受信された場合、データベース制御部１０１は、送信元の通信端末の電話番号などを手がかりにして、該当する通信端末の項目をデータベース１１１から検索する。そして、見つかった通信端末の項目に関連付けられている受信感度のデータを、新たに送られてきた受信感度のデータに書き換える。【００５７】
受信制御部１０２は、ＰｏＣのグループ通信において通信端末から送信されるデータを通信部８において受信する処理を行う。例えば、発言を希望する通信端末からの要求や、各通信端末において取得された受信感度のデータなどを受信する。【００５８】
送信制御部１０３は、ＰｏＣのグループ通信において通信部８から通信端末へデータを送信する処理を行う。例えば、データベース制御部１０１においてデータベース１１１が更新された場合、更新された情報（各通信端末のログインの有無や受信感度データなど）を通信部８から各通信端末に送信する。このとき、送信制御部１０３は、更新された情報を全通信端末に一斉に送信しても良いし、あるいは、更新された情報の提供元の通信端末を除いた一部の通信端末にのみ情報を送信しても良い。【００５９】
また、送信制御部１０３は、各通信端末において取得した受信感度のデータを通信管理装置２００へ送信するように、通信部８から各通信端末へ要求を送信しても良い。【００６０】
ここで、上述した構成を有する本実施形態に係る通信システムの動作について説明する。【００６１】
まず、通信端末における処理の一例について、図５を参照して説明する。
図５Ａは、電波受信感度取得部７４において受信感度データを取得する処理の一例を示し、図５Ｂは、他の通信端末の受信感度データを表示する処理の一例を示す。【００６２】
電波受信感度取得部７４は、受信感度のデータを取得し、これを記憶部６に一時的に格納する（ステップＳ１０２）。次いで送信制御部７１は、記憶部６に格納される前回取得された受信感度データと今回取得された受信感度データとを比較する（ステップＳ１０４）。両者が異なっている場合、送信制御部７１は、端末の電波受信状態が変化したと判定し、記憶部６に格納される今回取得された受信感度データを通信部２から通信管理装置２００へ送信する（ステップＳ１０６）。その後、通信端末は、一定の待ち時間が経過した後で（ステップＳ１０８）、再びステップＳ１０２に戻って受信感度の取得を行う。【００６３】
一方、受信制御部７２は、通信管理装置２００から送られてくる各種の情報が通信部２において受信されたか否か判定し、受信された場合、その旨を表示制御部７３に通知する（ステップＳ１１０）。表示制御部７３は、通信管理装置２００からの情報が受信されると、受信した情報に基づいて表示部５の表示画面を更新する。例えば、グループ通信に参加する通信端末のリストや各通信端末の受信感度などの情報が表示された画面を、通信管理装置２００から送られてくる新たな情報に基づいて随時更新する。【００６４】
次に、通信管理装置２００における電波感度データの更新処理の一例について、図６を参照して説明する。【００６５】
受信制御部１０２は、通信端末から送られてくる受信感度データが通信部８において受信されたか否か判定し、受信された場合、その旨をデータベース制御部１０１に通知する（ステップＳ２０２）。データベース制御部１０１は、受信感度データが通信部８において受信されると、この受信感度データを送信してきた通信端末の電話番号などを手がかりにして、該当する通信端末の項目をデータベース１１１から検索する（ステップＳ２０４）。該当する通信端末の項目が見つかると、データベース制御部１０１は、この通信端末の項目に関連付けられている受信感度データを、新たに送られてきた受信感度データに書き換える（ステップＳ２０８）。データベース制御部１０１によってデータベース１１１が更新されると、送信制御部１０３は、その更新された情報を通信部２から各通信端末へ送信する（ステップＳ２１０）。その後、通信管理装置２００は再びステップＳ２０２に戻り、通信端末からの受信感度データを待つ。
一方、データ制御部１０１は、ステップＳ２０４の検索において該当する通信端末の項目が見つからなかった場合、データベース１１１の更新を行わずにステップＳ２０２へ戻る。【００６６】
次に、上述した図５及び図６に処理を実行する通信システムの全体動作の一例について、図７を参照して説明する。【００６７】
通信端末１００−１が新たにグループ通信に参加するため、所定のログイン処理を実行する（ステップＳ３０２）。このログイン処理により、通信端末１００−１から通信管理装置２００へログイン要求が送信されると（ステップＳ３０４）、通信管理装置２００は、このログイン要求を受けて通信端末１００−１の参加を許可する。また、通信管理装置２００のデータベース制御部１０１は、データベース１１１において通信端末１００−１がログイン中か否かを示す項目に「ログイン中」であることを登録する（ステップＳ３０６）。【００６８】
通信管理装置２００の送信制御部１０３は、データベース制御部１０１によってデータベース１１１が更新されると、その更新内容を通信部８から各通信端末へ送信する（ステップＳ３０８）。すなわち、新たにグループ通信に参加した通信端末１００−１に関する情報を各通信端末に送信する。
各通信端末の表示制御部７３は、通信管理装置２００から送られてくる情報、すなわち新たに参加した通信端末１００−１の情報並びに既存の通信端末１００−２〜１００−４の情報を、表示部５の画面に表示する（ステップＳ３１０，Ｓ３１２，Ｓ３１４，Ｓ３１６）。例えば、グループ通信に参加しているメンバの名前を並べて表示するリストに、新たに参加した通信端末１００−１のメンバ名を追加する。【００６９】
ここで、通信端末１００−１の電波受信状態が変化すると（ステップＳ３１８）、その送信制御部７１は、電波受信感度取得部７４で取得された受信感度データを通信部２から通信管理装置２００へ送信する（ステップＳ３２０）。
通信管理装置２００の通信部２においてこの受信感度データが受信されると、データベース制御部１０１は、受信されたデータに基づいて、データベース１１１に登録される通信端末１００−１の受信感度データを更新する（ステップＳ３２２）。【００７０】
通信管理装置２００の送信制御部１０３は、データベース制御部１０１によってデータベース１１１が更新されると、その更新内容を通信部８から各通信端末へ送信する（ステップＳ３２４）。すなわち、通信端末１００−１の新たな受信感度データを各通信端末に送信する。図７の例では、通信端末１００−１を除いた他の通信端末（１００−２，１００−３，１００−４）へ受信感度データを送信している。【００７１】
各通信端末の表示制御部７３は、通信管理装置２００から送られてくる情報、すなわち通信端末１００−１の新たな受信感度データを、表示部５の画面に表示する（ステップＳ３２６，Ｓ３２８，Ｓ３３０）。例えば、通信端末１００−１の電波受信状態に係わる表示を、新たに送られてきた受信感度データに基づいて更新する。【００７２】
次に、本実施形態に係る通信システムの他の動作例について説明する。【００７３】
上述した図５〜図７に示す動作例においては、各通信端末から通信管理装置２００へ自発的に受信感度データを送信しているため、例えば受信中の通信端末が突然通信不能に陥った場合、そのことを他の通信端末や通信管理装置２００は把握できない。そこで、次に述べる動作例では、通信管理装置２００から各通信端末へ定期的に受信感度データの送信を要求し、これに応答しない通信端末を通信不能であると判定する。【００７４】
図８は、通信端末における処理の他の例を示す図である。
図８Ａは、電波受信感度取得部７４において受信感度データを取得する処理の一例を示し、図８Ｂは、他の通信端末の受信感度データを表示する処理の一例を示す。【００７５】
受信制御部７２は、受信感度データの送信要求が通信部２において受信されたか否か判定し、受信された場合、その旨を電波受信感度取得部７４に通知する（ステップＳ４０２）。電波受信感度取得部７４は、通信部２において当該送信要求が受信された場合、受信感度データの取得を行う（ステップＳ４０４）。そして送信制御部７１は、取得された受信感度データを通信部２から通信管理装置２００へ送信する（ステップＳ４０６）。その後、通信端末は再びステップＳ４０２に戻り、受信感度データの送信要求を待つ。【００７６】
図８Ｂに示す処理は、先に説明した図５Ｂに示す処理と同じである。すなわち通信端末の表示制御部７３は、通信管理装置２００からの情報（例えば他の通信端末の受信感度データ）が受信される度に、受信された情報に基づいて表示部５の表示を更新する。【００７７】
図９は、通信管理装置２００における電波感度データの更新処理の他の例を示す図である。【００７８】
通信管理装置２００の送信制御部１０３は、電波感度データの送信要求を通信部２から各通信端末へ送信する（ステップＳ５０２）。受信制御部１０２は、通信端末からの受信感度データが通信部８において受信されたか否か判定し、受信された場合、その旨をデータベース制御部１０１に通知する（ステップＳ５０４）。データベース制御部１０１は、通信部８において受信感度データが受信されると、受信感度データを送信してきた通信端末の電話番号などを手がかりにして、該当する通信端末の項目をデータベース１１１から検索する（ステップＳ５０６）。該当する通信端末の項目が見つかった場合、データベース制御部１０１は、この通信端末の項目に関連付けられている受信感度データを、新たに送られてきた受信感度データに書き換え（ステップＳ５１０）、ステップＳ５１２に移行する。なお、このとき、データベース制御部１０１は、送られてきた受信感度データと既に登録されている受信感度データとを比較し、両者が一致している場合は書き換えを行わない。また、書き換えを行った場合、データベース制御部１０１は、例えばそのことを示す所定の情報を記憶部１１に記録する。
ステップＳ５０６において該当する通信端末の項目が見つからなかった場合、データベース制御部１０１は、上述したステップＳ５１０の処理をスキップして、後述するステップＳ５１２に移行する。【００７９】
ステップＳ５１２において、データベース制御部１０１は、グループ通信に参加中の全端末から受信感度データが送られてきたか、あるいは、各通信端末に受信感度データの送信を要求してから（すなわちステップＳ５０２から）所定の時間が経過していないかを判定する。未だ受信感度データを返信しない端末がある場合や、未だステップＳ５０２から所定の時間が経過していない場合、データベース制御部１０１は、再びステップＳ５０４に戻り、通信端末からの返信を待つ。【００８０】
ステップＳ５１２において一定の時間が経過したと判定した場合、データベース制御部１０１は、受信感度データを返信しない端末があるか否か判定する（ステップＳ５１４）。返信しない端末がある場合、データベース制御部１０１は、その端末が現在通信不能になっていることをデータベース１１１に登録し（ステップＳ５１６）、次のステップＳ５１８に移行する。このとき、データベース制御部１０１は、例えば、データベース１１１に上記の登録を行ったことを示す所定の情報を記憶部１１に記録する。
他方、ステップＳ５１４において全端末から返信があったと判定した場合、データベース制御部１０１は、ステップＳ５１６の処理をスキップしてステップＳ５１８に移行する。【００８１】
ステップＳ５１８において、送信制御部１０３は、データベース１１１の登録内容が変更されたか否か判定する（ステップＳ５１８）。例えば、ステップＳ５１０やＳ５１６において記憶部１１に記録された所定の情報に基づいて、データベース１１１の変更の有無を判定する。変更された場合、送信制御部１０３は、変更内容の情報（例えば変更された通信端末の受信感度の情報や、通信不能状態になった通信端末の情報など）を各通信端末に送信する（ステップＳ５２０）。【００８２】
ステップＳ５１４〜Ｓ５２０が実行されると、通信管理装置２００は、一定の待ち時間が経過した後で再びステップＳ５０２に戻り（ステップＳ５２２）、受信感度データの送信要求を行う。【００８３】
次に、上述した図８及び図９に処理を実行する通信システムの全体動作の一例について、図１０を参照して説明する。【００８４】
通信管理装置２００の送信制御部１０３は、受信感度データの送信要求を通信部８から各通信端末に送信する（ステップＳ６０２）。この要求を受信した各通信端末では、電波受信感度取得部７４が受信感度データの取得を行う（ステップＳ６０４，Ｓ６０６，Ｓ６０８，Ｓ６１０）。そして、各通信端末の送信制御部７１は、取得された受信感度データを通信部２から通信管理装置２００へ返信する（ステップＳ６１２，Ｓ６１４，Ｓ６１６，Ｓ６１８）。【００８５】
各通信端末から受信感度データが返信されると、通信管理装置２００のデータベース制御部１０１は、返信された受信感度データに基づいてデータベース１１１を更新する（ステップＳ６２０）。また、図１０の例では、通信端末１００−１からの返信が無いため、データベース制御部１０１は、通信端末１００−１が通信不能になっていることをデータベース１１１に登録する。【００８６】
データベース１１１の内容が変更されると、通信管理装置２００の送信制御部１０３は、変更内容の情報（メンバー情報）を各通信端末に送信する（ステップＳ６２２）。図１０の例では、通信端末１００−１が通信不能になっているため、通信端末１００−１を除く他の通信端末（１００−２〜１００−４）に情報を送信している。
通信管理装置２００からの情報を受信した各通信端末（１００−２〜１００−４）の表示制御部７３は、受信した情報に基づいて、表示部５の画面表示を更新する（ステップＳ６２４，Ｓ６２６，Ｓ６２８）。すなわち、各通信端末の表示部５は、通信端末１００−１が現在通信不能になっていることや、他の通信端末において受信感度データが変更されたことなどを表示する。【００８７】
次に、通信端末の表示部５に表示される画面の一例について、図１１を参照して説明する。【００８８】
表示部５の画面は、例えば図１１に示すように、待ち受け等に用いられる通常の画面（図の上側）と、ＰｏＣのグループ通信に関する情報が表示される画面（図の下側）の２つに分割される。
通常の画面には、例えば、電波受信感度取得部７４において取得される受信感度を表すアンテナを模した図形や、バッテリの残量を示す図形、年月日や時刻などの時間に関連する情報などが表示される。
他方、グループ通信用の画面には、例えば、現在グループ通信に参加している通信端末のメンバ名のリストが表示され、そのメンバ名の横には、各通信端末において取得された受信感度データを表すマークが表示される。このマークは、例えば図１２に示すように、表示の明るさによって４段階の受信感度を表しており、明るさが増すほど受信感度が良好であることを示す。【００８９】
以上説明したように、本実施形態によれば、各通信端末において電波受信状態に関する情報（例えば基地局からの電波の受信感度など）が取得され、通信管理装置２００を介して他の通信端末へ送信される。そして、各通信端末に設けられた表示部５において、他の通信端末における電波受信状態の情報が表示される。
これにより、各々の通信端末が他の通信端末の電波受信状態を正しく把握できるため、他の通信端末が正常に会話できる状態にあるか否かが判断可能となり、１対多の通信においてユーザ間の認識に違いが発生することを抑制できる。【００９０】
また、本実施形態によれば、通信管理装置２００から各通信端末に対して電波受信状態の情報の送信するように定期的に要求が発せられ、この要求を受けた通信端末において電波受信状態の情報が取得されて、通信管理装置２００に返信される。そして、通信管理装置２００の当該送信要求に応答しない通信端末の情報が、通信管理装置２００から各通信端末に送信され、各通信端末の表示部５に表示される。
これにより、通信管理装置２００の上述した送信要求に対する応答の有無によって通信端末が通信不能になったかどうかを的確に判断できるため、ユーザ間の認識違いを更に効果的に抑制し、円滑なコミュニケーションを実現することが可能になる。【００９１】
更に、本実施形態によれば、表示部５の画面を、待ち受け等に用いられる通常の画面とグループ通信に関する情報が表示される画面とに分割しているため、２つの画面を切り替えて表示する場合のような操作の煩わしさがない。また、通常の画面を確認しながら、同時にグループ通信の状況も確認することができるため、利便性が向上する。【００９２】
以上、本発明の一実施形態について説明したが、本発明は上記の形態のみに限定されるものではなく、種々のバリエーションを含んでいる。【００９３】
上述の実施形態では、各通信端末から通信管理装置２００へ送信される電波受信状態の情報が通信管理装置２００のデータベース１１１に登録されているが、本発明はこれに限定されない。
例えば、通信端末から送信された電波受信状態の情報を通信管理装置２００において保持せず、通信管理装置２００から他の通信端末へそのまま転送するようにしても良い。この場合も、上述の実施形態と同様に、各通信端末において他の通信端末の電波受信状態を把握可能である。【００９４】
図１１に示す例では、各通信端末を使用するメンバの名前の横に電波受信状態の情報を表すマークが付されているが、本発明はこれに限定されない。例えば、各通信端末のメンバを記号や図形、絵、写真などを使用したマークで表し、そのマークの色や大きさ、形などによって電波受信状態を表しても良い。これにより、同一のマークで通信端末の識別と電波受信状態を同時に表すことができるため、画面の表示領域を節約することができる。【００９５】
また、上述の実施形態では、他の通信端末における電波受信状態の情報を各通信端末において表示する例を示しているが、本発明はこれに限定されない。一般にＰｏＣなどのグループ通信では、１対多の通信が行われている最中でも各通信端末と通信管理装置２００との間で比較的小容量のデータをやり取りできる通信チャンネルが設けられているため、この通信チャンネルを利用して、受信中の１の通信端末から他の通信端末へ種々の情報を送信しても良い。
例えば、キー入力部３において他の通信端末に提供する情報を入力し、これを送信制御部７１が通信部２から送信するように制御する。通信端末から送信される当該情報を受信した通信管理装置２００は、これを他の通信端末へ送信する。そして、通信管理装置２００を介して伝送される情報を受信した通信端末の表示制御部７３は、受信した当該情報を表示部５に表示する制御を行う。
これにより、例えば、電池残量のような機器の状態に係わる情報や、発言に対する同意、不同意、賞賛、コメントのようなユーザの意思表示に係わる情報など、様々な情報を１の通信端末から他の通信端末へ伝えることができる。そのため、１対多のグループ通信の利便性をより一層向上することができる。【００９６】
上述の実施形態では、ＰｏＣによるグループ通信に本発明を適用する例を説明しているが、本発明はこれに限定されず、１対多のデータ通信を行う他の種々のグループ通信にも適用可能である。【００９７】
通信端末の制御部７の処理や、通信管理装置２００の制御部１０の処理は、全てをコンピュータによってプログラムに基づいて実行しても良いし、その少なくとも一部をハードウェアで実行しても良い。【００９８】
本発明の通信端末は携帯電話機に限定されない。例えば、ＰＤＡ（personal digital assistants）や携帯型のゲーム機など、通信機能を有する端末装置に本発明は広く適用可能である。
【産業上の利用可能性】
【００９９】
以上のように、本発明にかかる通信方法、通信システム及び通信端末は、各端末は他の受信中の端末がどのような状態にあるかをリアルタイムに把握できることから、携帯電話機、ＰＤＡ、携帯型ゲーム機等の１対多の通信方法とその通信システム、並びに１対多の通信を行う通信端末に適応可能である。
【図１】
2007013614.tif 000002
【図２】
2007013614.tif 000003
【図３】
2007013614.tif 000004
【図４】
2007013614.tif 000005
【図５】
2007013614.tif 000006
【図６】
2007013614.tif 000007
【図７】
2007013614.tif 000008
【図８】
2007013614.tif 000009
【図９】
2007013614.tif 000010
【図１０】
2007013614.tif 000011
【図１１】
2007013614.tif 000012
【図１２】
2007013614.tif 000013
【手続補正書】
【提出日】平成18年11月27日(2006.11.27)
【手続補正１】
【補正対象書類名】特許請求の範囲
【補正対象項目名】請求の範囲
【補正方法】変更
【補正の内容】
【書類名】請求の範囲
【請求項１】無線通信を行う３以上の通信端末のうちの１つが他の複数の通信端末へデータを送信する通信方法であって、
前記３以上の通信端末の各々が、管理装置を介して他の複数の通信端末と通信セッションを確立し、当該通信セッションの確立された複数の通信端末との間でグループ通信を行うグループ通信開始ステップと、
前記３以上の通信端末の各々が、前記通信セッションを確立した状態で、自通信端末の状態に関する第１の情報を取得する第１のステップと、
前記３以上の通信端末の各々が、前記取得した第１の情報を管理装置に送信する第２のステップと、
前記管理装置が、前記通信端末から第１の情報を受信すると、当該第１の情報の送信元通信端末が参加しているグループ通信に参加中の他の通信端末の各々に送信する第３のステップと、
前記３以上の通信端末の各々が、前記管理装置から受信した第１の情報を、各々に設けられた表示部に表示する第４のステップと
を有することを特徴とする通信方法。
【請求項２】無線通信を行う３以上の通信端末と管理装置とを具備し、前記３以上の通信端末のうちの１つが他の複数の通信端末へデータを送信するグループ通信を行う通信システムであって、
前記管理装置は、
前記通信端末と通信する第１の通信部と、
前記３以上の通信端末の各々から送信される前記グループ通信の開始要求と、各通信端末の状態に関する第１の情報を前記第１の通信部に受信するよう制御する第１の受信制御部と、
前記グループ通信の開始要求を受信すると、当該開始要求に基づいて前記第１の通信部に他の複数の通信端末と通信セッションを確立させてグループ通信を開始させ、当該グループ通信に参加する複数の通信端末から前記第１の情報を受信すると、当該受信した第１の情報を前記第１の通信部から前記他の通信端末の各々に送信させる第１の送信制御部と
を有し、
前記通信端末は、
前記管理装置に前記開始要求を行い、前記管理装置との通信セッション確立を行う第２の通信部と、
情報を表示する表示部と、
前記通信セッションを確立した状態で、自通信端末の状態に関する前記第１の情報を取得する情報取得部と、
前記取得した第１の情報を前記管理装置へ送信するよう前記第２の通信部を制御する第２の送信制御部と、
前記通信セッションを確立した状態で、前記管理装置から送信される前記第１の情報を受信するよう前記第２の通信部を制御する第２の受信制御部と、
前記受信した第１の情報を前記表示部に表示する表示制御部と
を有する
ことを特徴とする通信システム。
【請求項３】無線通信を行う３以上の通信端末のうちの１つが他の複数の通信端末へデータを送信するグループ通信を行う通信システムで用いられる通信端末であって、
前記通信システムに前記グループ通信の開始を要求する開始要求を送信し、前記通信システムとの通信セッション確立を行う通信部と、
情報を表示する表示部と、
前記通信セッションを確立した状態で、自通信端末の状態に関する第１の情報を取得する情報取得部と、
前記取得した第１の情報を前記グループ通信中の他の端末へ送信するよう前記通信部を制御する送信制御部と、
前記通信セッションを確立した状態で、前記グループ通信中の他の通信端末において取得された前記第１の情報を受信するよう前記通信部を制御する受信制御部と、
前記受信された第１の情報を前記表示部に表示する表示制御部と
を有することを特徴とする通信端末。
【請求項４】前記情報取得部は、前記通信部による電波状態に関する情報を前記第１の情報として取得する
請求項３に記載の通信端末。
【請求項５】前記送信制御部は、前記通信セッションを確立した状態で、前記情報取得部において取得される第１の情報が変化すると、当該変化した第１の情報を前記通信部に送信させるよう制御する、
請求項３に記載の通信端末。
【請求項６】前記受信制御部は、前記通信セッションを確立した状態で、前記第１の情報の送信要求を前記通信部に受信させ、
前記送信制御部は、前記送信要求が受信された場合に、前記第１の情報を前記通信部から送信する、
請求項３に記載の通信端末。
【請求項７】前記受信制御部は、前記通信セッションを確立した状態で、前記送信要求に応答しない通信端末の情報を含んだ前記第１の情報を前記通信部において受信し、
前記表示制御部は、前記受信した第１の情報に基づいて、前記送信要求に応答しない通信端末の情報を前記表示部に表示する、
請求項６に記載の通信端末。
【請求項８】前記表示制御部は、前記第１の情報に基づいて、前記グループ通信中の他の端末ごとに電波受信状態を表すマークが付されているリストを、前記表示部に表示する
ことを特徴とする請求項４に記載の通信端末。
【請求項９】前記表示制御部は、各端末の電波受信状態に応じて、前記マークの色、大きさ及び形状の少なくとも１つを変える、
請求項８に記載の通信端末。
【請求項１０】前記表示制御部は、前記第１の情報に基づいて、前記グループ通信中の他の端末の電波受信状態を識別可能なマークによって表されているリストを、前記表示部に表示する
ことを特徴とする請求項４に記載の通信端末。
【請求項１１】前記表示制御部は、各端末の電波受信状態に応じて、前記マークの色、大きさ及び形状の少なくとも１つを変える、
請求項１０に記載の通信端末。
【請求項１２】前記情報取得部は、前記通信セッションを確立した状態で、自通信端末の電池状態に関する情報を前記第１の情報として取得する
請求項３に記載の通信端末。
【国際調査報告】
2007013614.tif 000014
2007013614.tif 000015
2007013614.tif 000016
2007013614.tif 000017